(57)【特許請求の範囲】
【請求項１】
上方に受支部を有する保持部材と、左右に高さの途中に係合部を備える立ち上がり部を有し、各立ち上がり部の先端には上方が解放する溝部を有する縦葺き外装材と、左右に隣接する縦葺き外装材に跨る横片部及びその対向間隔に配設される縦片部を有するクリップと、左右の縦葺き外装材間に被着するキャップ材とからなる縦葺き外装構造であって、
所定間隔にて桁行き方向に配設される梁上に前記保持部材を固定し、固定した保持部材の受支部の左右に、それぞれ縦葺き外装材を弾性的に係合させて保持させると共に、梁の配設間隔において、各縦葺き外装材の対向間隔に前記クリップの縦片部を位置させ、溝部の上側に、左右の横片部に形成した係止部を係止させ、溝部の下側に、縦片部に形成した抜け止めを配置させて取り付け、さらに隣接する左右の縦葺き外装材の立ち上がり部にキャップ材を弾性的に嵌合させてなることを特徴とする縦葺き外装構造。
【請求項２】
クリップの係止部は、横片部を下方へ折り曲げてその下端を折り返して形成されていることを特徴とする請求項１に記載の縦葺き外装構造。
【請求項３】
クリップの係止部は、横片部に切り込みを形成し、下方へ折り下げて形成されていることを特徴とする請求項１に記載の縦葺き外装構造。
【請求項４】
クリップの縦片部には、吊り具を接続していることを特徴とする請求項１〜３の何れか一項に記載の縦葺き外装構造。
【請求項５】
請求項１〜４の何れか一項に記載の縦葺き外装構造における左右の縦葺き外装材の嵌合部に、流れ方向に沿う１つ以上の溝部を備える支持架台を嵌合させて固定し、該支持架台の溝部に上方に延在する取付具を取り付け、該取付具に外設部材を取り付けたことを特徴とする縦葺き外装構造。
【発明の詳細な説明】
【技術分野】
【０００１】
本発明は、屋根面上に太陽電池パネルを敷設したり、屋根の裏面側に吊り天井を架設するなどの正荷重が作用しても外装材が外れたり離脱することがなく安定な外観を維持することができる縦葺き外装構造に関する。
【背景技術】
【０００２】
従来、梁上に固定したタイトフレーム等の固定具に折版屋根板を取り付け、クリップを挿着してキャップ部材を被着する折版屋根の施工方法が知られている。
この折版屋根は、上方から押圧するだけの簡易な操作にて折版屋根板やクリップ等の各部材を嵌め付け固定することができるものであって、例えば本願出願人も、特許文献１を提案し、電動ドリルやドライバー、スパナー、ハンマー等の工具を使用することなく、左右の折版屋根板の上下位置を高精度に規制し、屋根に正荷重や負荷重が作用したとしても外れたり離脱することがないクリップを有する折版屋根を開発した。
【先行技術文献】
【特許文献】
【０００３】
【特許文献１】特公平７−３７７４０号公報
【発明の概要】
【発明が解決しようとする課題】
【０００４】
しかしながら、前記特許文献１の折版屋根では、梁の直上部分には、タイトフレーム等の固定具が裏面側に配置されて折版屋根板を支持しているため、この梁の直上部分では屋根に正荷重や負荷重が作用した場合の耐性にも優れているが、梁の配設間隔においては折版屋根板の裏面側に部材が存在しないため、例えば正荷重を受けて左右の折版屋根板が開き易いという問題があった。なお、左右の折版屋根板が開いた場合には、キャップ材が外れたり、折版屋根板自体が固定具から外れるという事故を引き起こすおそれがあった。そして、近年では、屋根上に太陽電池パネルを敷設したいとする要望も増えているため、このような要望に対応できないという問題も生じていた。
そこで、本発明は、屋根に太陽電池パネルを敷設するなどの正荷重が作用しても外装材が外れたり離脱することがない縦葺き外装構造を提案することを目的とする。
【課題を解決するための手段】
【０００５】
本発明は、上記に鑑み提案されたものであって、上方に受支部を有する保持部材と、左右に高さの途中に係合部を備える立ち上がり部を有し、各立ち上がり部の先端には上方が解放する溝部を有する縦葺き外装材と、左右に隣接する縦葺き外装材に跨る横片部及びその対向間隔に配設される縦片部を有するクリップと、左右の縦葺き外装材間に被着するキャップ材とからなる縦葺き外装構造であって、所定間隔にて桁行き方向に配設される梁上に前記保持部材を固定し、固定した保持部材の受支部の左右に、それぞれ縦葺き外装材を弾性的に係合させて保持させると共に、梁の配設間隔において、各縦葺き外装材の対向間隔に前記クリップの縦片部を位置させ、溝部の上側に、左右の横片部に形成した係止部を係止させ、溝部の下側に、縦片部に形成した抜け止めを配置させて取り付け、隣接する左右の縦葺き外装材の立ち上がり部にキャップ材を弾性的に嵌合させてなることを特徴とする縦葺き外装構造に関するものである。
【０００６】
また、本発明は、前記縦葺き外装構造において、クリップの係止部は、横片部を下方へ折り曲げてその下端を折り返して形成されていることを特徴とする縦葺き外装構造をも提案するものである。
【０００７】
また、本発明は、前記縦葺き外装構造において、クリップの係止部は、横片部に切り込みを形成し、下方へ折り下げて形成されていることを特徴とする縦葺き外装構造をも提案するものである。
【０００９】
また、本発明は、前記縦葺き外装構造において、クリップの縦片部には、吊り具を接続していることを特徴とする縦葺き外装構造をも提案するものである。
【００１０】
さらに、本発明は、前記縦葺き外装構造における左右の縦葺き外装材の嵌合部に、流れ方向に沿う１つ以上の溝部を備える支持架台を嵌合させて固定し、該支持架台の溝部に上方に延在する取付具を取り付け、該取付具に外設部材を取り付けたことを特徴とする縦葺き外装構造をも提案するものである。
【発明の効果】
【００１１】
本発明の縦葺き外装構造は、梁の配設間隔において、縦葺き外装材の対向間隔にクリップの縦片部を位置させ、立ち上がり部の先端に設けた溝部に左右の係止部を係止させて取り付けた構成であるから、太陽電池パネルなどの正荷重が作用しても左右の縦葺き外装材が開くことがなく、そのためキャップ材が外れたり、縦葺き外装材自体が外れることもない。したがって、太陽電池パネル以外の外設部材を支持する場合や、室内側へ天井材や照明具などを配置する場合等にも左右の縦葺き外装材の開きを起こすことなく容易に対応することができるものである。
また、クリップの縦片部には、抜け止めが設けられているので、溝部の下側に抜け止めが、上側に係止部が配置される状態となり、左右の溝部をクリップにて上下から挟み込むように一体化することができ、溝部間の開きを防止する上、縦葺き外装材の上下位置を高精度に規制することができる。
【００１２】
また、クリップの係止部が、縦方向の縦片部の上端から外側へ延在する横片部を下方へ折り曲げてその下端を折り返して形成されている場合、略Ｕ字状の係止部となり、係止部自体が強度が高いため、左右の縦葺き外装材の開きが確実に防止されるものとなる。
【００１３】
また、クリップの係止部は、縦方向の縦片部の上端から外側へ延在する横片部に切り込みを形成し、下方へ折り下げて形成されている場合、縦葺き外装材の溝部に折り下げ片の先端が確実に当接するように容易に調整することができる。
【００１５】
また、クリップの縦片部に、吊り具を接続している場合、例えば室内側へ天井材（吊り天井）などを配置させることができる。
【００１６】
さらに、前記縦葺き外装構造における左右の縦葺き外装材の嵌合部に、流れ方向に沿う１つ以上の溝部を備える支持架台を嵌合させて固定し、該支持架台の溝部に上方に延在する取付具を取り付け、該取付具に外設部材を取り付ける場合、外設部材として太陽電池パネルや緑化構造などの積載荷重が比較的大きいものにも適用したものとなる。なお、この場合、キャップ材を支持架台が兼ねるものでもよい。
【図面の簡単な説明】
【００１７】
【図１】（ａ）本発明の縦葺き外装構造の第１実施例（梁の直上の状態）を示す断面図、（ｂ）梁の配設間隔においてクリップを係止した状態を示す断面図（支持架台を兼ねるキャップ材を省略した）、（ｃ）用いたクリップの斜視図である。
【図２】（ａ）本発明の縦葺き外装構造の第２実施例（梁の配設間隔においてクリップを係止した状態）を示す断面図、（ｂ）用いたクリップの斜視図である。
【図３】（ａ）本発明の縦葺き外装構造の第３実施例（梁の配設間隔においてクリップを係止した状態）を示す断面図、（ｂ）用いたクリップの斜視図である。
【図４】前記第１実施例の縦葺き外装構造に天井材を含む天井構造を吊架した状態を示す断面図である。
【発明を実施するための形態】
【００１８】
本発明の縦葺き外装構造は、上方に受支部を有する保持部材と、左右に高さの途中に係合部を備える立ち上がり部を有し、各立ち上がり部の先端には上方が解放する溝部を有する縦葺き外装材と、左右に隣接する縦葺き外装材に跨る横片部及び縦方向の縦片部を有するクリップと、左右の縦葺き外装材間に被着するキャップ材とからなる。そして、クリップの横片部には、縦葺き外装材の溝部に係止する係止部が設けられている。
【００１９】
前記縦葺き外装材は、金属板を屈曲成形した長尺材で、面板部の左右側縁に上方に向かって幅広となる様に傾斜する立ち上がり部を左右に設けた略逆梯形状で、左右の立ち上がり部の高さの途中に係合部が形成され、立ち上がり部の先端付近には上方が解放する溝部が形成される構成であればそれ以外の構成は特に限定するものではない。
また、前記係合部は、後述する保持部材の受支部に弾性的に係合するものであり、前記溝部は、後述するクリップの係止部が係止するものである。
【００２０】
前記保持部材は、上方に受支部を有して梁上に固定されるものであれば特にその具体的構成は限定するものではない。後述する図示実施例のように一般にタイトフレームと称される門型状のフレームである下側保持部材と、受支部を有する上側保持部材とを組み合わせた構成でも良い。
また、受支部は、前記縦葺き外装材の立ち上がり部（係合部）を弾性的に係合させて保持させるものであり、前記縦葺き外装材の左右の溝部を弾性的に係合（嵌入）させる受溝部を備えていることが望ましい。
なお、後述する図示実施例のように下側保持部材（タイトフレーム）は帯状鋼材を折り曲げ加工して形成されるが、上側保持部材は、少なくとも前記縦葺き外装材と同程度、望ましくはそれより高強度の金属板材をプレス等により屈曲形成してもよいし、押出成形にて作製してもよい。
【００２１】
前記クリップは、左右に隣接する縦葺き外装材に跨って配設される横片部と、左右の立ち上がり部の対向間隔に配される縦方向の縦片部とを有し、前記横片部には、前記縦葺き外装材の溝部に係止する係止部を備える構成であればそれ以外の構成については特に限定するものではない。例えば後述する図示実施例のように縦片部は、下端を折り返した二重縦面状に形成してもよく、また後述する図示実施例のように前記係止部は、横片部に適宜に設ければよく、例えば横片部を下方へ折り曲げてその下端を折り返して略Ｕ字状に形成してもよいし、横片部に切欠を形成し、下方へ折り下げて形成してもよい。
このクリップは、少なくとも前記縦葺き外装材と同程度、望ましくはそれより高強度の金属板材をプレス等により屈曲形成してもよいし、押出成形にて作製してもよい。尤も高強度であっても高重量であればクリップの挿着箇所に正荷重としての不要な負担を与えるので、軽量で高強度の素材を用いることがさらに望ましい。
【００２２】
前記キャップ材は、隣接する左右の縦葺き外装材の立ち上がり部に弾性的に嵌合するものであれば、それ以外の構成は特に限定するものではなく、例えば前記縦葺き外装材と同様に金属板を屈曲成形した長尺材でもよいし、後述する図示実施例のように太陽電池パネル等の外設部材を支持する支持架台を兼ねる押出成形品、メッキ鋼板、ステンレス鋼板等のプレス加工品及びセラミック等より形成したものでもよい。
また、前記支持架台を兼ねるキャップ材としては、後述する図示実施例のように流れ方向に沿う１つ以上の溝部を備え、左右の縦葺き外装材の嵌合部に、嵌合させて取り付けることができ、前記溝部には、上方に延在する取付具を取り付けることができ、該取付具に外設部材を取り付けられるものが望ましい。
【００２３】
本発明では、既に説明した前記特許文献１などと同様に、所定間隔にて桁行き方向に配設される梁上に前記保持部材を固定し、固定した保持部材の受支部に、左右からそれぞれ縦葺き外装材を臨ませ、各立ち上がり部を弾性的に係合させて保持させ、隣接する左右の縦葺き外装材の立ち上がり部にキャップ材を弾性的に嵌合させる構成を前提構成とする。
そして、本発明の従来にない特徴は、梁の配設間隔において、各立ち上がり部の対向間隔に前記クリップの縦片部を位置させ、溝部に左右の係止部を係止させて取り付けた構成である。そのため、太陽電池パネルなどの正荷重が作用しても左右の溝部が開く、即ち左右の縦葺き外装材が開くことがなく、そのためキャップ材が外れたり、縦葺き外装材自体が外れることもなく、外設部材をその上に設置する態様にも、裏面側へ吊り金具を配設する態様にも適応することができる。
【００２４】
なお、梁の配設間隔には、クリップを複数挿着するようにしてもよく、例えば一つであれば配設間隔の中間付近に、二つであれば配設間隔を三等分したポイント付近に挿着することが望ましい。
【００２５】
クリップの係止部については、前記縦葺き外装材の溝部に係止するものであれば特に限定するものではないが、後述する図示実施例（図１）のように縦方向の縦片部の上端から外側へ延在する横片部を下方へ折り曲げてその下端を折り返して係止部とした場合には、略Ｕ字状の係止部となり、係止部自体の強度が高いため、左右の縦葺き外装材の開きが確実に防止されるものとなる。
また、後述する図示実施例（図２）のように縦方向の縦片部の上端から外側へ延在する横片部に切り込みを形成し、下方へ折り下げて係止部とした場合には、縦葺き外装材の溝部に折り下げ片の先端が確実に当接するように容易に調整することができる。
【００２６】
クリップの縦片部については、後述する図示実施例（図１）のように抜け止めを設けてもよく、この場合、溝部の下側に抜け止めが配置され、上側に横片部及び係止部が配置される状態となり、左右の溝部をクリップにて上下から挟み込むように一体化することができ、溝部間の開きを防止するばかりでなく、縦葺き外装材の上下位置を高精度に規制することができる。
また、後述する図示実施例（図２）のようにクリップの縦片部に穴を形成するなどして吊り具を接続した場合には、室内側へ天井材（吊り天井）などを配置（吊架）させることができる。
【００２７】
さらに、前記縦葺き外装構造における左右の縦葺き外装材の嵌合部に、流れ方向に沿う１つ以上の溝部を備える支持架台を嵌合させて固定し、該支持架台の溝部に上方に延在する取付具を取り付け、該取付具に外設部材を取り付ける場合には、外装構造に外設部材の積載荷重が作用するが、太陽電池パネルや緑化構造などの積載荷重が比較的大きいものにも適用したものとなる。後述する図示実施例のようにこの態様における支持架台が前記キャップ材を兼ねるものでもよい。
【実施例】
【００２８】
図１に示す本発明の縦葺き外装構造の第１実施例は、保持部材３と、縦葺き外装材（以下、単に外装材という）４と、クリップ１と、キャップ材５とからなり、所定間隔にて桁行き方向に配設される梁２上に前記保持部材３を固定し、固定した保持部材３の受支部３Ｂに、左右からそれぞれ外装材４，４を臨ませ、各立ち上がり部４２を弾性的に係合させて保持させると共に、梁２，２の配設間隔において、各立ち上がり部４２の対向間隔に前記クリップ１の縦片部１２を位置させ、溝部４４に左右の横片部１１に設けた係止部１１１を係止させて取り付け、隣接する左右の外装材４，４の立ち上がり部４２，４２に支持架台を兼ねるキャップ材５を弾性的に嵌合させてなる構成である。
【００２９】
前記外装材４は、金属板を屈曲成形材で、面板部４１の左右側縁に上方に向かって幅広となる様に傾斜する立ち上がり部４２，４２を左右に設けた略逆梯形状で、左右の立ち上がり部４２の高さの途中に係合部４２１が形成され、立ち上がり部４２の先端付近には保持部材３の受支部３Ｂに裏面を支持される載置部分４３を介して上方が解放する断面略Ｕ字状の溝部４４が形成されている。
また、前記係合部４２１は、後述する保持部材３の受支部３５（被係合部３５３）に弾性的に係合するものであり、前記溝部４４は、後述するクリップ１の係止部１１１が係止するものである。
【００３０】
前記保持部材３（符号３は図示していない）は、一般にタイトフレームと称される門型状のフレームである下側保持部材３Ａと、受支部を有する上側保持部材３Ｂとをボルトナット３ｃにて一体的に組み合わせた構成である。
下側保持部材（タイトフレーム）は、帯状鋼材を折り曲げ加工して形成され、上面部３１の左右に下方に向かって幅広となる様に脚部３２，３２を設け、各脚部３２の下端に水平な固定片３３が形成されている。
上側保持部材３Ｂは、前記外装材４と同程度か、それより高強度の金属板材をプレス等により屈曲加工して形成され、取付片３４の前後に直立する受片状の受支部３５，３５が設けられ、各受支部３５の上端中央に上端が開口する受溝部３５１を設けると共に、前記受支部３５の上端から前後方向（流れ方向）に延在する受部分３５２を設けた構成である。また、この受支部３５は、左右が張り出した略扇状であって、左右の張り出し部分の基端下方の隅部空間が前記外装材４の係合部４２１が係合する被係合部３５３である。
そして、前記下側保持部材３Ａの上面部３１の下面に、前記上側保持部材３Ｂの取付片３４の上面を当接させてボルトナット３ｃにて連結して保持部材３を構成している。
【００３１】
前記クリップ１は、左右に隣接する外装材４，４に跨る横片部１１，１１及びその対向間隔に配設される縦片部１２を有する構成であって、前記横片部１１には外装材４の溝部４４に係止する係止部１１１が設けられている。
図示実施例のクリップ１は、図１（ｃ）に示すように縦片部１２が下端を折り返し部分とする二重縦面状に形成され、横片部１１，１１は前記縦片部１２の上端から外側（左右）へ延在するように形成され、この横片部１１，１１の基端部付近を下方へ折り曲げてその下端を折り返して略Ｕ字状に係止部１１１，１１１を形成した構成である。また、縦片部１２の水下側の端縁を左右に逆三角形状に開いて抜け止め１３，１３としている。なお、この抜け止め１３，１３は、水下側の端縁に限らず、水上側の端縁にも同様に設けるようにしてもよい。
【００３２】
前記キャップ材５は、太陽電池パネルをその上に支持させる支持架台を兼ね、断面が略門状の長尺材であって、その上面５２１が略水平状の中空枠部５２の略中央に、流れ方向に沿うように延在して上方が解放する溝部５１が形成され、この中空枠部５２から左右の下方へ拡開状に形成された脚片５３，５３は、取り付ける外装材４，４の外側に沿うものであり、この脚片５３，５３の下端よりやや上方に、内側上方へ向かう跳ね上げ片状の嵌合固定部５３１，５３１が形成されている。
なお、図中の７は、上向きボルトである取付具を示し、ボルトの頭部の径は溝部５１の開口幅より小さいが、平面視が平行四辺形状の規制片を留め金として溝部５１内に配置させることにより、この規制片が、溝部５１の開口幅より広く内部幅より狭い幅と開口幅より狭い幅とを有するため、溝部５１の任意の位置に配置させることができ、溝部５１の内部にて回転させて、溝部５１に対して摺動等して任意の位置に調整でき、この規制片は上方へ引っ張られた際に抜け止め作用が果たされる。
【００３３】
これらの各部材からなる本発明の縦葺き外装構造は、梁２の直上では、前記保持部材３にて外装材４を保持するが、梁２，２の配設間隔において、左右に隣接する外装材４，４の対向間隔に上方から前記クリップ１を挿着するように配設し、その対向間隔にクリップ１の縦片部１２を位置させ、載置部分４３，４３を横片部１１，１１が覆うように、且つ溝部４４，４４に左右の係止部１１１，１１１を係止させて取り付けた。
したがって、図示しない太陽電池パネルなどの正荷重が作用しても、左右の外装材４，４が開くことがなく、そのためキャップ材５が外れたり、外装材４自体が外れることもない。したがって、太陽電池パネル以外の外設部材を支持する場合や、室内側へ天井材や照明具などを配置する場合等にも左右の外装材４，４の開きを起こすことなく容易に対応することができる。
【００３４】
また、この第１実施例におけるクリップ１は、横片部１１や係止部１１１が下方への落ち止めとなることは説明するまでもないが、縦片部１２に抜け止め１３，１３が設けられているので、前述のように上方から挿着するように配した際に、逆三角形状の抜け止め１３，１３の上端が溝部４４，４４の裏面側に至った時点で、上方への抜け止め作用も果たされるものとなる。したがって、左右の溝部４４，４４をクリップ１にて上下から挟み込むように一体化することができ、溝部４４，４４間の開きを防止するばかりでなく、外装材４，４の上下位置を高精度に規制することができる。
【００３５】
さらに、この第１実施例におけるクリップ１の係止部１１１は、横片部１１を下方へ折り曲げてその下端を折り返して形成された略Ｕ字状であるため、係止部１１１自体が強度が高いため、左右の外装材４，４の開きが確実に防止されるものとなる。
【００３６】
図２に示す本発明の縦葺き外装構造の第２実施例は、クリップ１'の横片部１１，１１はそれぞれ平坦状であるが、その基端付近に切り込みを形成し、下方へ折り下げて係止部１１１'としたものであり、より具体的には、横片部１１，１１にそれぞれ流れ方向に平行な２本の切り込みを形成し、切り込み間の片を略鉛直状に下方へ折り下げて係止部１１１'を形成した。また、縦片部１２には、やや下方よりに円形状の通孔１２１が形成されている。
図３に示す本発明の縦葺き外装構造の第３実施例は、クリップ１"の横片部１１，１１はそれぞれ平坦状であるが、その基端付近に切り込みを形成し、下方へ折り下げて係止部１１１"としたものであり、より具体的には横片部１１，１１にそれぞれ流れ方向へその先端を流れ方向へ略Ｌ字状の切り込みを形成し、切り込み間の片をやや外側下方へ折り下げて係止部１１１"を形成した。また、縦片部１２には、やや下方よりに円形状の通孔１２１が形成されている。
そして、これら第２実施例も第３実施例も、前記クリップ１'，１"の係止部１１１'，１１１"の構成以外については前記第１実施例と全く同様であり、図面に同一符号を付して説明を省略する。
【００３７】
前記第２実施例のクリップ１'の係止部１１１'も前記第３実施例のクリップ１"の係止部１１１"も、外装材４の溝部４４に折り下げ片の先端が当接するように容易に折り曲げることができる。したがって、溝部４４に折り下げ片の先端を確実に当接させるように容易に折り曲げ調整することができる。
なお、これらのクリップ１'，１"には、係止部１１１'，１１１"を図示上の手前側の端縁から切り込みを形成して設けたが、これに限定するものではなく、奥側の端縁から切り込みを形成して同様に係止部１１１'，１１１"を設けてもよく、手前側の端縁と奥側の端縁の両方に設けるものであってもよい
また、前記第２実施例のクリップ１'にも前記第３実施例のクリップ１"にも通孔１２１を設けたので、例えば室内側へ天井材（吊り天井）などを配置させることができる。
【００３８】
図４は、前記第１実施例のクリップ１の縦片部１２に設けた円形状の通孔１２１に、ボルトナットにてＬ字状の金具７Ａが固定され、該金具７Ａを介して下方へ延在する吊りボルト７Ｂを接続している。この吊りボルト７Ｂは、Ｈ鋼として示した梁２よりも下方へ臨んでおり、その下端にハンガー７Ｃが取り付けられ、該ハンガー７Ｃに天井材８を含む天井構造を吊架した構成である。
すなわちこの図４の実施例では、クリップ６の縦片部１２（に設けた通孔１２１）に、吊り具（吊りボルト７Ｂ）を接続し、室内側へ天井材８を含む天井構造などを配置させた構成である。
そして、本発明の縦葺き外装構造は、吊り天井（天井材８等）の荷重が作用しても、左右の外装材４，４が開くことがなく、外装材４自体が外れることもなく、対応することができる。
【符号の説明】
【００３９】
１，１'，１"  クリップ
１１  横片部
１１１，１１１'，１１１"  係止部
１２  縦片部
１２１  通孔
２  梁
３  保持部材
３Ａ  下部保持部材
３Ｂ  上部保持部材
３２  脚部
３３  固定片
３５  受支部
３５１  受溝部
３５２  受部分
３５３  被係合部
４  外装材
４１  面板部
４２  立ち上がり部
４２１  係合部
４３  載置部分
４４  溝部
４ｃ  横桟（桟木）
５  支持部材
５  キャップ材（支持架台兼用）
５１  溝部
５２  中空枠部
５３  脚片
５３１  嵌合固定部
６  取付具
【図１】
0005458410.tif 000002
【図２】
0005458410.tif 000003
【図３】
0005458410.tif 000004
【図４】
0005458410.tif 000005